(57)【要約】【課題】組み立て、分解が可能で、且つ、運搬と収納が便利な二段式トレーニング弾力棒を提供すること。【解決手段】第一、及び、第二カーボンファイバ棒からなる。第一カーボンファイバ棒は棒体、第一結合端、及び、第一重量端を有する。第一結合端は第一グリップを設置し、第一グリップはグリップ部、オス結合素子、支承体、リングを有する。第二カーボンファイバ棒は棒体、第二結合端、及び、第二重量端を有する。第二結合端は第二グリップを設置し、第二グリップはグリップ部、メス結合素子、支承体、リングを有する。オス結合素子とメス結合素子の結合によりグリップ全体を構成する。【選択図】図２
0003149389.tif 000002
【実用新案登録請求の範囲】
【請求項１】
二段式トレーニング弾力棒であって、
第一カーボンファイバ棒と、第二カーボンファイバ棒と、
からなり、
前記第一カーボンファイバ棒は、棒体、第一結合端、及び、第一重量端を有し、前記第一重量端は重量ブロックを有し、前記第一結合端は第一グリップを設置し、前記第一グリップはグリップ部、オス結合素子、支承体、リング、を設置し、前記グリップ部は凹槽を有し、前記凹槽は前記支承体、前記リング、前記オス結合素子を順に設置し、
前記第二カーボンファイバ棒は、棒体、第二結合端、及び、第二重量端を有し、前記第二重量端は重量ブロックを有し、前記第二結合端は第二グリップを設置し、前記第二グリップはグリップ部、メス結合素子、支承体、リング、を設置し、前記グリップ部は凹槽を有し、前記凹槽は前記支承体、前記リング、前記メス結合素子を順に設置し、
前記第一グリップと前記第二グリップは、前記オス結合素子と前記メス結合素子の結合によりグリップ全体を構成し、
前記第一カーボンファイバ棒と前記第二カーボンファイバ棒は、組み立て、分解が可能で、且つ、運搬と収納が便利な二段式トレーニング棒を構成することを特徴とする二段式トレーニング弾力棒。
【請求項２】
前記第一グリップの前記支承体周面上に少なくとも一つの中空槽を有することを特徴とする請求項１に記載の二段式トレーニング弾力棒。
【請求項３】
前記第二グリップの前記支承体周面上に少なくとも一つの中空槽を有することを特徴とする請求項１に記載の二段式トレーニング弾力棒。
【請求項４】
前記オス結合素子は雄ネジ部を有し、前記メス結合素子は前記雄ネジ部に対応する雌ネジ部を有し、前記第一グリップと前記第二グリップは前記雄ネジ部により前記雌ネジ部に固定されて、前記グリップ全体を構成することを特徴とする請求項２に記載の二段式トレーニング弾力棒。
【考案の詳細な説明】
【技術分野】
【０００１】
本考案は、トレーニング弾力棒に関するものであって、特に、運搬と収納に便利な二段式トレーニング弾力棒に関する。
【背景技術】
【０００２】
公知のトレーニング弾力棒は、振動により贅肉を振り落とし、各種姿勢により運動、鍛錬効果を達成し、中国カンフー棒としても使用できる。
【０００３】
図４は公知のトレーニング弾力棒を示す図である。このトレーニング弾力棒は、カーボンファイバ棒７０の両端にそれぞれ重量ブロック７２、７３を設置し、中間にグリップ７１を有し、使用時に、手でグリップ７１を握って上下に揺動させ、トレーニング弾力棒に振動を生成させて、人体にフィードバックさせて、運動効果を達成するものである。
【０００４】
しかし、公知のトレーニング弾力棒は一体成型であるか、分解できない構造なので、この非常に長い構造は、出荷時の運搬、包装も面倒であり、販売者も保管などの問題が発生し、使用者は、携帯や収納が不便であるため使用場所が限定されるという欠点がある。
【考案の概要】
【考案が解決しようとする課題】
【０００５】
本考案の目的は、上述の問題を改善するトレーニング弾力棒を提供することにある。
【課題を解決するための手段】
【０００６】
本考案のトレーニング弾力棒は、第一、及び、第二カーボンファイバ棒からなる。第一カーボンファイバ棒は、棒体、第一結合端、及び、第一重量端を有する。第一重量端は重量ブロックを有し、第一結合端は第一グリップを設置し、第一グリップはグリップ部、オス結合素子、支承体、リングを有する。グリップ部は凹槽を有し、凹槽は支承体、リング、オス結合素子を順に設置する。
【０００７】
第二カーボンファイバ棒は棒体、第二結合端、及び、第二重量端を有する。第一重量端は重量ブロックを有し、第二結合端は第二グリップを設置し、第二グリップはグリップ部、メス結合素子、支承体、リングを有する。グリップ部は凹槽を有し、前記凹槽は、支承体、リング、及び、メス結合素子を順に設置する。
【０００８】
第一グリップと第二グリップは、オス結合素子とメス結合素子の結合によりグリップ全体を構成し、第一カーボンファイバ棒と第二カーボンファイバ棒は、組み立て、分解が可能で、且つ、運搬と収納が便利な二段式トレーニング棒を構成する。
【０００９】
第一グリップの支承体周面上に少なくとも一つの中空槽を有する。
【００１０】
第二グリップの支承体周面上に少なくとも一つの中空槽を有する。
【００１１】
オス結合素子は雄ネジ部を有し、メス結合素子は雄ネジ部に対応して、雌ネジ部を有する。第一グリップと第二グリップは、雄ネジ部と雌ネジ部が螺合して、グリップ全体を構成する。
【考案の効果】
【００１２】
本考案は、分解可能な二段式設計を採用し、第一グリップと第二グリップによりグリップ全体を構成し、第一カーボンファイバ棒と第二カーボンファイバ棒は組み立て、分解でき、且つ、運搬、収納に便利で、公知のトレーニング弾力棒が長すぎて生じる様々な問題を効果的に解決することができる。
【図面の簡単な説明】
【００１３】
【図１】本考案に係る二段式トレーニング弾力棒の立体図である。
【図２】本考案に係る二段式トレーニング弾力棒の分解図である。
【図３】本考案に係る二段式トレーニング弾力棒の組み合わせ断面図である。
【図４】公知のトレーニング弾力棒の断面図である。
【考案を実施するための形態】
【００１４】
図１〜図３は、本考案の二段式トレーニング弾力棒を示す図で、第一カーボンファイバ棒１、及び、第二カーボンファイバ棒２からなる。第一カーボンファイバ棒１は、棒体１０、第一結合端、及び、第一重量端を有する。第一重量端は重量ブロック２０を有し、第一結合端は第一グリップ３０を設置し、第一グリップ３０はグリップ部３１、オス結合素子３２、支承体３３、リング３４、を有する。第一グリップ３０の支承体３３は中空管体で、支承体３３の周面上に、少なくとも一つの中空槽３３１を有して、軽量化と材料節約の効果を達成する。グリップ部３１は凹槽を有し、凹槽は支承体３３、リング３４、オス結合素子３２を順に設置する。支承体３３は第一グリップ３０の強度を増加する。
【００１５】
第二カーボンファイバ棒２は棒体４０、第二結合端、及び、第二重量端を有する。第二結合端は第二グリップ６０を設置し、第二グリップ６０はグリップ部６１、メス結合素子６２、支承体６３、リング６４を有する。第二グリップ６０の支承体６３は中空管体で、支承体６３の周面上に少なくとも一つの中空槽６３１を有して、軽量化と材料節約の効果を達成する。グリップ部６１は凹槽６１１を有し、凹槽６１１は支承体６３、リング６４、メス結合素子６２を順に設置する。支承体６３は第二グリップ６０の強度を増加する。
【００１６】
第一グリップ３０と第二グリップ６０は、オス結合素子３２とメス結合素子６２の結合によりグリップ全体を構成し、第一カーボンファイバ棒１と第二カーボンファイバ棒２は、組み立て、分解が可能で、且つ、運搬と収納が便利な二段式トレーニング棒を構成する。オス結合素子３２は雄ネジ部３２１を有し、メス結合素子６２は雄ネジ部３２１に対応して、雌ネジ部６２１を有する。第一グリップ３０と第二グリップ６０は、雄ネジ部３２１と雌ネジ部６２１が螺合して、グリップ全体を構成する。
【００１７】
本考案は、分解可能な二段式設計により、第一グリップと第二グリップを利用して、グリップ全体を構成し、第一カーボンファイバ棒と第二カーボンファイバ棒は組み立て、分解でき、且つ、運搬、収納に便利で、公知のトレーニング弾力棒が長すぎて生じる様々な問題を効果的に解決することができる。
【００１８】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、請求の範囲で指定した内容を基準とする。
【符号の説明】
【００１９】
７０        第一カーボンファイバ棒
７１        グリップ
７２、７３  重量ブロック
１          第一カーボンファイバ棒
２          第二カーボンファイバ棒
１０、４０  棒体
２０、５０  重量ブロック
３０        第一グリップ
３１        グリップ部
３２        オス結合素子
３２１      雄ネジ部
３３、６３  支承体
３３１、６３１  中空槽
３４        リング
６０、６４  第二グリップ
６１        グリップ部
６１１      凹槽
６２        メス結合素子
６２１      雌ネジ部
【図１】
0003149389.tif 000003
【図２】
0003149389.tif 000004
【図３】
0003149389.tif 000005
【図４】
0003149389.tif 000006